(57)【要約】【課題】既設の軒樋吊構造に対して後付けによる補強工事を可能とする軒樋吊構造の補強用支持具を提供する。【解決手段】山部１ａと谷部１ｂが交互に屈曲形成された折版屋根１に吊下ボルト４を固定すると共に、その下端部４ｂに軒樋２を吊下保持する軒樋吊構造を対象として、折版屋根１の谷部１ｂ下面間に渡って杆状部材１１を配置し、この杆状部材１１の長手方向中間部に形成した貫通孔内に吊下ボルト４を挿通して該吊下ボルト４を支持する軒樋吊構造の補強用支持具５であって、杆状部材１１は、その長手方向中間部に上下いずれか一方又は双方に突出し、吊下ボルト４が挿通される貫通孔を備えた突出壁部を有すると共に、貫通孔及び突出壁部を通る鉛直方向の分断面をもって分割された一対の分割体とされ、前記分割された突出壁部を緊締して該突出壁部を吊下ボルト４に密着固定する緊締部材１４を備えてなることを特徴とする。【選択図】図１
2011001724.tif 000002
【特許請求の範囲】
【請求項１】
山部と谷部が交互に屈曲形成された折版屋根に吊下ボルトを固定すると共に、その下端部に軒樋を吊下保持する軒樋吊構造を対象として、前記折版屋根の谷部下面間に渡って杆状部材を配置し、この杆状部材の長手方向中間部に形成した貫通孔内に前記吊下ボルトを挿通して該吊下ボルトを支持する軒樋吊構造の補強用支持具であって、
前記杆状部材は、その長手方向中間部に上下いずれか一方又は双方に突出し、前記吊下ボルトが挿通される貫通孔を備えた突出壁部を有すると共に、前記貫通孔及び突出壁部を通る鉛直方向の分断面をもって分割された一対の分割体とされ、  
前記分割された突出壁部を緊締して該突出壁部を前記吊下ボルトに密着固定する緊締部材を備えてなることを特徴とする軒樋吊構造の補強用支持具。
【請求項２】
請求項１に記載の軒樋吊構造の補強用支持具において、
前記一対の分割体の分断面には、それぞれ対応する位置に互いに凹凸嵌合する凹部又は凸部が形成されていることを特徴とする軒樋吊構造の補強用支持具。
【請求項３】
請求項１又は２に記載の軒樋吊構造の補強用支持具において、
前記突出壁部は、その外周面に雄螺子部を備えると共に、前記緊締部材は、該雄螺子部に螺着自在な雌螺子部を備えた構成とされていることを特徴とする軒樋吊構造の補強用支持具。
【請求項４】
請求項３に記載の軒樋吊構造の補強用支持具において、
前記緊締部材には、前記雌螺子部内に該雌螺子部の軸線に直交する方向から前記吊下ボルトを挿入可能とする切欠部が形成されていることを特徴とする軒樋吊構造の補強用支持具。
【請求項５】
山部と谷部が交互に屈曲形成された折版屋根に対して、その上端部が前記山部に固定され、その下端部が該折版屋根の下方に垂下される吊下ボルトと、
前記折版屋根の谷部下面間に渡って杆状部材が配置され、この杆状部材の長手方向中間部に形成した貫通孔内に前記吊下ボルトを挿通して該吊下ボルトを支持する補強用支持具と、
前記吊下ボルトの下端部に固定されて軒樋を吊下保持する保持部材とを備えた軒樋吊具であって、
前記杆状部材は、その長手方向中間部に上下いずれか一方又は双方に突出し、前記吊下ボルトが挿通される貫通孔を備えた突出壁部を有すると共に、前記貫通孔及び突出壁部を通る鉛直方向の分断面をもって分割された一対の分割体とされ、  
前記分割された突出壁部を緊締して該突出壁部を前記吊下ボルトに密着固定する緊締部材を備えてなることを特徴とする軒樋吊具。
【発明の詳細な説明】
【技術分野】
【０００１】
本発明は、折版屋根を対象とした軒樋吊構造の補強用支持具及び軒樋吊具に関する。
【背景技術】
【０００２】
従来、折版屋根を対象とする軒樋吊具として各種のものが提案されているが、降雨・降雪量が多く、風の強い地域においては、軒樋に強い外力が加わるため、軒樋の支持強度について十分配慮する必要がある。即ち、折版屋根は、山部と谷部とが交互に屈曲形成された構造となっているが、例えば折版屋根の一部に吊下ボルトの上端部をナット締めにより固定し、この吊下ボルトの下端部に軒樋を吊下固定する構造とした場合には、吊下ボルトの固定がその上端部のみであるため、風雨、風雪等により吊下ボルトが揺動し、屋根に対する吊下ボルトの支持構造が破壊されるおそれがある。
そこで、従来の軒樋吊具としては、例えば下記特許文献１に示すように、吊下ボルトの支持強度を十分確保するために、屋根との間に支持部材を設ける構造が提案されている。
【０００３】
特許文献１に開示された従来の軒樋吊具は、図８に示すように、吊下ボルト１００、支持部材１０１、保持部材１０２、及びこれらを固定するナット１０３、１０３・・とから構成されている。この軒樋吊具１０４の吊下ボルト１００は、その上端部１００ａが折版屋根１０５の山部１０５ａの孔１０８に挿通されて、上端部１００ａに螺合するナット１０３、１０３で折版屋根１０５を上下から挟むようにして該折版屋根１０５に固定されている。また、吊下ボルト１００の下端部１００ｂにおいては、軒樋１０６を吊下げ保持する保持部材１０２がナット１０３、１０３によって固定、保持されている。
【０００４】
さらに、吊下ボルト１００の上端部１００ａと下端部１００ｂとの間には、支持部材１０１がその中心に備えた貫通孔１０７に吊下ボルト１００を挿通した状態で折版屋根１０５の谷部１０５ｂ、１０５ｂ下端部に亘るように配置されており、さらにその下方に螺合したナット１０３で上方に押圧され、支持部材１０１の両端に形成された傾斜側面１０１ａ、１０１ａが折版屋根１０５の下端部に当接している。
【０００５】
このようにして、従来の軒樋吊具１０４は、吊下ボルト１００の上端部１００ａにおいてナット１０３で折版屋根１０５に固定されると共に、中間部において、支持部材１０１を吊下ボルト１００と折版屋根１０５との間に介在させて、折版屋根１０５に固定されている。
【０００６】
また、この軒樋吊具１０４の折版屋根１０５への装着は、まず吊下ボルト１００を折版屋根１０５の孔１０８に挿通してナット１０３、１０３で上下から固定し、次に支持部材１０１に設けられた孔１０７に吊下ボルト１００を下方から相対的に挿通するようにして支持部材１０１を吊下ボルト１００に装着し、その下方からナット１０３を螺合して支持部材１０１を折版屋根１０５に当接させ、続いて、ナット１０３、保持部材１０２、ナット１０３をこの順に吊下ボルト１００に取り付け、ナット１０３、１０３で保持部材１０２を吊下ボルト１００の下端部に固定されて行われている。
【先行技術文献】
【特許文献】
【０００７】
【特許文献１】特開平８−３１２０７８号公報
【発明の概要】
【発明が解決しようとする課題】
【０００８】
ところで、上記の軒樋吊具１０４に使用する支持部材１０１は、孔１０７に吊下ボルト１００を挿通させる構造であるため、一般的な既設の軒樋吊構造、すなわち折版屋根１０５に吊下ボルト１００の上端部１００ａのみを固定し、この吊下ボルト１００の下端部１００ｂに保持部材１０２を介して軒樋１０６を吊下した構造に対しては、一旦軒樋１０６を取り外さない限り取り付けができないものであり、既設の軒樋吊構造に対して後付けによる補強工事が実質的に困難であるという問題があった。
【０００９】
また、上記軒樋吊具１０４によると、吊下ボルト１００を折版屋根１０５に取り付けた後、他の部材のそれぞれを固定するナット１０３を螺合しながら吊下ボルト１００に挿通してゆくものであるため、各部材の取付作業に時間と手間がかかり、しかもほとんどの作業を高所で行うことになるため、施工作業が面倒かつ困難であるという問題があった。
【００１０】
また、現場での軒樋吊具１０４の組み立て作業を軽減したり、施工者が直ちに施工できるような状態にしておくためには、軒樋吊具１０４の搬送前に、予め各部材を吊下ボルト１００に取り付けておければよいが、吊下ボルト１００に事前に支持部材１０１を挿通しておくと、支持部材１０１が左右に張り出して邪魔になったり、支持部材１０１が徒に動いたりするなどして運搬に不都合であり、また、実際に折版屋根１０５に装着するにあたっても、ナット１０３を上下に移動させて支持部材１０１の位置を調整する必要が生じたりするため、予め組み立てておいて施工作業の軽減を図るということに不向きであるという問題があった。
【００１１】
本発明は上記事情に鑑みてなされたものであり、既設の軒樋吊構造に対して後付けによる補強工事を可能とする軒樋吊構造の補強用支持具を提供することを目的とする。また、軒樋吊具の組み立て及び軒樋吊具の折版屋根への取り付けを短時間で簡便に行うことができ、軒樋吊具の事前組み立て及び運搬にも好適な軒樋吊具を提供することを目的とする。
【課題を解決するための手段】
【００１２】
上記目的を達成するために、この発明は以下の手段を提供している。
請求項１の発明は、山部と谷部が交互に屈曲形成された折版屋根に吊下ボルトを固定すると共に、その下端部に軒樋を吊下保持する軒樋吊構造を対象として、前記折版屋根の谷部下面間に渡って杆状部材を配置し、この杆状部材の長手方向中間部に形成した貫通孔内に前記吊下ボルトを挿通して該吊下ボルトを支持する軒樋吊構造の補強用支持具であって、前記杆状部材は、その長手方向中間部に上下いずれか一方又は双方に突出し、前記吊下ボルトが挿通される貫通孔を備えた突出壁部を有すると共に、前記貫通孔及び突出壁部を通る鉛直方向の分断面をもって分割された一対の分割体とされ、前記分割された突出壁部を緊締して該突出壁部を前記吊下ボルトに密着固定する緊締部材を備えてなることを特徴とする。
請求項２の発明は、前記一対の分割体の分断面には、それぞれ対応する位置に互いに凹凸嵌合する凹部又は凸部が形成されていることを特徴とする。
請求項３の発明は、前記突出壁部は、その外周面に雄螺子部を備えると共に、前記緊締部材は、該雄螺子部に螺着自在な雌螺子部を備えた構成とされていることを特徴とする。
請求項４の発明は、前記緊締部材には、前記雌螺子部内に該雌螺子部の軸線に直交する方向から前記吊下ボルトを挿入可能とする切欠部が形成されていることを特徴とする。
請求項５の発明は、山部と谷部が交互に屈曲形成された折版屋根に対して、その上端部が前記山部に固定され、その下端部が該折版屋根の下方に垂下される吊下ボルトと、前記折版屋根の谷部下面間に渡って杆状部材が配置され、この杆状部材の長手方向中間部に形成した貫通孔内に前記吊下ボルトを挿通して該吊下ボルトを支持する補強用支持具と、前記吊下ボルトの下端部に固定されて軒樋を吊下保持する保持部材とを備えた軒樋吊具であって、前記杆状部材は、その長手方向中間部に上下いずれか一方又は双方に突出し、前記吊下ボルトが挿通される貫通孔を備えた突出壁部を有すると共に、前記貫通孔及び突出壁部を通る鉛直方向の分断面をもって分割された一対の分割体とされ、前記分割された突出壁部を緊締して該突出壁部を前記吊下ボルトに密着固定する緊締部材を備えてなることを特徴とする。
【発明の効果】
【００１３】
請求項１に記載の補強用支持具によれば、折版屋根の谷部下面間に渡って配置される杆状部材を、吊下ボルトが挿通される貫通孔を備えた突出壁部を通る分断面においてを２分割し、これら２分割された分割体を緊締部材により固定するようにしたので、既設の折版屋根を対象とした軒樋吊構造において、分割体を後付けにより吊下ボルトに固定でき、後付けによる補強工事が可能であるという効果を奏する。
【００１４】
請求項２に記載の補強用支持具によれば、分割体同士が対向する分断面には、互いに対応する位置に互いに嵌合する凹部又は凸部が形成されているため、杆状部材を構成する分割部材同士の位置決めが容易となるという効果を奏する。
【００１５】
請求項３に記載の補強用支持具によれば、突出壁部の外周面に雄螺子部が形成され、緊締部材に雌螺子部が形成されており、突出壁部と緊締部材とが螺合により固定されるものであるため、補強用支持具の吊下ボルトへの固定を簡便にすることができるという効果を奏する。
【００１６】
請求項４に記載の補強用支持具によれば、緊締部材の一部において、吊下ボルトを雌螺子部内に挿入可能とする切欠部を有しているため、吊下ボルトを切欠部から緊締部材の雌螺子部内に位置させることができ、補強用支持具が未装着で折版屋根に設置されている軒樋吊具に、該軒樋吊具を折版屋根から取り外したりすることなく、簡便に杆状部材及び緊締部材を取り付けることが可能となるという効果を奏する。
【００１７】
請求項５に記載の軒樋吊具によれば、補強用支持具が貫通孔及び突出壁部を通る鉛直方向の分断面で分割された一対の分割体により構成されているため、補強用支持具を吊下ボルトに取り付ける際に、分割された分割体を、吊下ボルトを挟み込むようにして装着し、突出壁部を緊締部材で緊締することにより取り付けが可能となる。したがって、補強用支持具を固定するナットを吊下ボルトの端部から螺合させる等の手間を省いて、補強用支持具を吊下ボルトの上端部と下端部との間に容易に取り付けることができるため、補強用支持具の取り付け作業が簡便となり、ひいては、軒樋吊具の折版屋根への設置及び設置準備が簡便となり、かつ、作業時間を大幅に削減することができるという効果を奏する。
【００１８】
また、補強用支持具は、貫通孔を通る面で分割自在な構成とされているため、杆状部材を予め挿通させておくことなく、軒樋吊具の出荷時において杆状部材を吊下ボルトから取り外して、コンパクトに持ち運びすることができるという効果を奏する。
【００１９】
また更に、吊下ボルト及び保持部材を設置した後、補強用支持具への後付けが可能であるため、補強用支持具が未装着で折版屋根に設置された軒樋吊具に対して、吊下ボルトを折版屋根から取り外すことなく、補強用支持具を装着することが可能であるという効果を奏する。
【図面の簡単な説明】
【００２０】
【図１】（ａ）、（ｂ）は、本発明の一実施形態として示した補強用支持具及び軒樋吊具を示す図であって、本発明による補強用支持具及び軒樋吊具を折版屋根に設置する方法を示す説明図である。
【図２】は、本発明の一実施形態として示した補強用支持具及び軒樋吊具を折版屋根に取り付けた状態を示す側断面図である。
【図３】は、本発明の一実施形態として示した補強用支持具の組立図である。
【図４】（ａ）は、本発明の一実施形態として示した補強用支持具を構成する分割体を示した平面図であり、（ｂ）は、その正面図であり、（ｃ）は、その背面図である。
【図５】（ａ）は、本発明の一実施形態として示した補強用支持具の緊締部材の側断面図であり、（ｂ）は、本発明の一実施形態として示した補強用支持具の緊締部材の平面図である。
【図６】（ａ）、（ｂ）、（ｃ）は、本発明の一実施形態として示した軒樋吊具の分割体を接合して緊締部材により緊締する方法を示す説明図である。
【図７】は、本発明の他の実施形態として示した軒樋吊具の補強用支持具を示した斜視図である。
【図８】は、従来の軒樋吊具を示す図である。
【発明を実施するための形態】
【００２１】
以下、図を参照して本発明の一実施形態について説明する。
図１（ａ）、（ｂ）は、本発明による軒樋吊具を折版屋根に設置する場合の説明図（正面図）、図２は、同側断面図である。
図１（ａ）、（ｂ）において、符号１は、軒樋吊具の設置対象となる折版屋根、２は軒樋であり、図１（ｂ）において３は本発明による軒樋吊具である。
【００２２】
折版屋根１は、山部１ａと谷部１ｂとが傾斜部１ｃを介在させて交互に屈曲形成されたものであり、山部１ａの下方には、空間Ｓが形成されている。軒樋２は、図２に示すように、底壁２ａ及び側壁２ｂ、２ｂからなるものであり、側壁２ｂ、２ｂの上端部には被係合壁部２ｃ、２ｃが形成されている。
【００２３】
軒樋吊具３は、図１（ｂ）に示すように、上端部４ａが折版屋根１の山部１ａに固定され、その中間部が空間Ｓを通り、下端部４ｂが折版屋根１の下方に垂下される吊下ボルト４と、折版屋根１の谷部１ｂ、１ｂの下面間に渡って配置され、その長手方向中央部が吊下ボルト４に固定されると共に、同長手方向両端部５ｔ、５ｔが谷部１ｂ、１ｂの下面に当接して吊下ボルト４を支持する補強用支持具（以下、支持具という）５と、吊下ボルト４の下端部４ｂに固定されて軒樋２を吊下保持する保持部材６と、吊下ボルト４を折版屋根１に固定するナット７、７及びワッシャ８、８、保持部材６を吊下ボルト４に固定するナット７、７とから構成されたものである。
【００２４】
吊下ボルト４は、折版屋根１の山部１ａ、谷部１ｂ間寸法より長く、折版屋根１に固定された状態で、谷部１ｂ位置から所定寸法下方へ突出し、その下端部４ｂに軒樋２を固定できる寸法とされている。
【００２５】
支持具５は、図３に示すように、杆状部材１１と緊締部材１４とから構成されたものである。杆状部材１１は、一定の幅寸法をもって一方向に延在するように形成された杆状部１１Ａと、この杆状部１１Ａの長手方向中央部に下方へ向かって（図３は支持具５を上下を逆にして見た図）突出するように形成され、吊下ボルト４が挿通される上下方向の貫通孔１２を備えた突出壁部１３とからなるものである。
【００２６】
上記の貫通孔１２は、突出壁部１３及び杆状部１１Ａに貫通するように形成された孔であり、その内径寸法が前記吊下ボルト４を密に嵌入し得る寸法とされている。
なお、この貫通孔１２の内壁面は、ローレット加工が施されており、凹凸のある面とされている。
【００２７】
突出壁部１３は、中心部に貫通孔１２を形成し、杆状部１１Ａから一定の厚みをもって円柱状に一定寸法突出する壁部であり、その外周面は雄螺子部１５となっている。
【００２８】
杆状部材１１は、突出壁部１３及び貫通孔１２を通り、かつ杆状部１１Ａの幅方向中心部を通る鉛直方向の分断面２１をもって２分割され、一対の分割体１６、１６とされている。
【００２９】
分割体１６の詳細は、図４（ａ）、（ｂ）、（ｃ）に示されており、杆状部材１１の分断面２１には、貫通孔１２の中心軸線を中心とした線対称位置に凹部１７及び凸部１８が形成されている。この杆状部材１１を構成する一対の分割体１６、１６は、各部の形状、寸法等が同一の構成とされたものである。
この構成の下に、一対の分割体１６は、分断面２１を互いに当接接合したときに、凹部１７、凸部１８が互いに嵌合し、結合時の位置合わせが確実になされるようになっている。
【００３０】
また、図３、図５（ａ）、（ｂ）に示すように、緊締部材１４は、リング状の部材であり、その内面には、雌螺子部１９が形成され、その外周面には、複数の突条２０、２０・・が等間隔環状配置して形成されている。
【００３１】
この緊締部材１４は、図６（ａ）、（ｂ）に示すように、杆状部材１１の分割体１６、１６を接合させた状態において、同図（ｃ）に示すように、突出壁部１３の外周面に形成された雄螺子部１５に螺合することができ、この螺合によって分割体１６、１６を堅固に一体化して結合することができる。
なお、この緊締部材１４の内径は、図１（ａ）、（ｂ）に示すナット７、７、ワッシャ８、８の外径よりやや大きめに形成されており、ナット７、７等が挿通可能な大きさとされている。
【００３２】
また、図２に示すように、保持部材６は、主壁部６ａの両側部に軒樋２の被係合壁部２ｃに係合自在な係合壁部６ｂが形成されたものであり、主壁部６ａに貫通孔６ｃが形成されている。
【００３３】
なお、上記の軒樋吊具３において、吊下ボルト４、ナット７、７、ワッシャ８、８は、鉄、ステンレス等の金属材料により形成されることが望ましく、支持具５の各構成部品は、塩化ビニル、ＡＢＳ樹脂等の合成樹脂材料により形成されることが望ましい。
【００３４】
次に、上記の構成からなる軒樋吊具３を用いて折版屋根１に軒樋２を設置する方法について説明する。
まず、軒樋吊具３は、軒樋２の設置現場に搬入する前に、予め所定の部材について組み立てを行っておく。即ち、図１（ａ）に示す各部材のうち、吊下ボルト４の上端部４ａに一組のナット７、ワッシャ８を取り付け、その下端部４ｂにナット７、７により保持部材６を取り付け、更に吊下ボルト４に緊締部材１４を装通させしておく。
この場合、緊締部材１４は、その内径がナット７、ワッシャ８の外径よりやや大き目とされているので、ナット７等の取り付け後に吊下ボルト４に挿通させることができる。
【００３５】
次に、上記のように吊下ボルト４に各部材を取り付けた組立体１０を杆状部材１１の分割体１６、１６、他の一組のナット７、ワッシャ８と共に軒樋２の設置現場に搬入する。
軒樋２の設置に際しては、まず、図１（ａ）に示すように、軒樋２の設置位置に合わせて、折版屋根１の山部１ａに吊下ボルト４を固定するための孔２５を形成する。
【００３６】
そして、この孔２５に対し、上記の組立体１０の吊下ボルト４の先端部４ａを折版屋根１の山部１ａの下方から挿入し、山部１ａから突出した先端部４ａにワッシャ８を装着し、ナット７を螺合、緊締することにより吊下ボルト４の上端部４ａを山部１ａに固定する。なお、この場合の固定は、仮固定としておく。
【００３７】
次に、図１（ｂ）に示すように、杆状部材１１をその杆状部１１Ａの両端部５ｔ、５ｔを折版屋根１の谷部１ｂ、１ｂの下面に当接させた状態で吊下ボルト４に装着する。この場合、図６（ａ）に示すように、杆状部材１１の分割体１６、１６を吊下ボルト４の前後に位置させ、次に、同図（ｂ）に示すように分割体１６、１６を接合させ、貫通孔１２内に吊下ボルト４を位置させ、更に同図（ｃ）に示すように、下方から予め吊下ボルト４に取り付けておいた緊締部材１４を突出壁部１３に螺合、緊締することにより、支持具５が吊下ボルト４に固定される。
【００３８】
この場合、貫通孔１２の内面は凹凸のある形状とされているので、杆状部材１１は吊下ボルト４に堅固に固定される。
また、緊締部材１４の操作に際しては、緊締部材１４の外周面に突条２０、２０・・を設けてあるため、その回動操作を容易に行うことができる。
【００３９】
次に、吊下ボルト４の上端部４ａにおいて、ナット７、７を適宜回動させ、吊下ボルト４を僅か上方に引き上げた状態でこれらナット７、７を本締めする。
このように、吊下ボルト４を僅かに上方に引き上げることにより、杆状部材１１における杆状部１１Ａの両端部５ｔ、５ｔが折版屋根１の谷部１ｂ、１ｂ下面に密に係合し、結果として吊下ボルト４が折版屋根１の山部１ａと谷部１ｂとに堅固に固定されることになる。
【００４０】
次に、吊下ボルト４の下端部４ｂには、図２に示すように保持部材６が取り付けられているので、この保持部材６の係合壁部６ｂ、６ｂを弾性変形させることにより、軒樋２の被係合壁部２ｃ、２ｃに係合させる。そして、ナット７、７を適宜回動操作して、軒樋２の高さを調整した後、これらナット７、７を本締めし、かくして軒樋２の施工作業が完了する。
【００４１】
上記の軒樋吊具３によれば、杆状部材１１が貫通孔１２及び突出壁部１３を通る鉛直方向の分断面２１で１対の分割体１６、１６に分割自在とされているため、支持具５を吊下ボルト４に取り付ける際に、分割体１６、１６を吊下ボルト４に挟み込むようにして装着し、突出壁部１３のみを緊締部材１４で緊締することにより取り付けが可能となる。したがって、杆状部材１１を固定する部材を吊下ボルト４の端部から螺合させる等の手間を省いて、支持具５を吊下ボルト４の中間部に容易に取り付けることができるため、支持具５の取り付け作業が簡便となり、ひいては、軒樋吊具４の事前組み立てが可能であるため、折版屋根１への設置が簡便となり、かつ、作業時間を大幅に削減することができる。
【００４２】
また、杆状部材１１が分割自在で、吊下ボルト４への取り付けが容易であるので、軒樋吊具３の出荷時において杆状部材１１を吊下ボルト４から取り外して、軒樋吊具２をコンパクトに持ち運びすることができる。
【００４３】
また、分割体１６、１６が対向する分断面２１には、互いに対応する位置に互いに嵌合する凹部１７及び凸部１８が形成されているため、杆状部材１１を構成する分割体１６同士の位置決めが容易となる。
また、一対の分割体１６、１６は、同一構成とされているので、同一の金型等を用いて製造することができ、製造コストの低減を図ることができる。
【００４４】
また、貫通孔１２の内壁面は、ローレット加工が施され凹凸のある面とされているため、この貫通孔１２の内壁面が吊下ボルト４の外周面に当接した際に、これらの互いに当接する面同士の摩擦抵抗が大きくなり、杆状部材１１の上下方向への移動を防止することができる。
また、突出壁部１３は、一定寸法下方に向かって突出しているので、該突出壁部１３内に形成された貫通孔１２と吊下ボルト４とが当接する摩擦面が突出寸法分確保されて、支持具５が吊下ボルト４の上下方向に移動するのを防止し、支持具５が吊下ボルト４に確実に固定され得る。
また更に、突出壁部１３の外周面に雄螺子部１５が形成され、緊締部材１４に雌螺子部１９が形成されており、突出壁部１３と緊締部材１４とが螺合により固定されるものであるため、支持具５の吊下ボルト４への固定を簡便にすることができ、かつ杆状部材１１の吊下ボルト４への固定を一層強固にすることができる。
【００４５】
また、緊締部材１４の内径寸法が、吊下ボルト４の上端部４ａに螺合されるナット７を挿通可能な寸法とされているため、吊下ボルト４の上端部４ａに螺合されたナット７を取り外すことなく支持具５の緊締部材１４を吊下ボルト４の中間部に位置させることができる。
【００４６】
なお、上記の実施の形態においては、支持具５の構成において、突出壁部１３を杆状部１１Ａの下方に突出するように形成したが、この構成に代えて、この突出壁部１３を上方に突出するように形成し、杆状部１１Ａの上方側で緊締部材１４により突出壁部１３を緊締するようにしてもよい。
【００４７】
また、この突出壁部１３を杆状部１１Ａの上下両方に突出させ、杆状部１１Ａの上下両側で緊締させるようにしてもよい。これにより、支持具５の吊下部材４への固定をより一層安定させることができる。
また、図３に示すように、支持具５の構成において、杆状部材１１の一方の分割体１６に二点鎖線で示す凸部２８を設け、他方の分割体に凸部２８に嵌合する凹部２７を設けるようにすれば、分割体１６、１６を緊締部材１４により一体化した状態において、杆状部材１１の一体化をより良好に行うことができる。
【００４８】
上記の実施形態においては、図５（ｂ）に示すように、杆状部材１１の構成において、緊締部材１４をリング状に形成したが、この構成に代えて、同図に二点鎖線で示すようにリング形状の一部に切欠部２６を形成し、この切欠部２６を通して緊締部材１４の雌螺子部１９内に、該雌螺子部１９の軸線に直交する方向から吊下ボルト４を挿入可能とすることもできる。
【００４９】
このように、緊締部材１４に切欠部２６を形成した場合には、既設の一般的な軒樋吊構造に対して、支持具５を後付けすることによって、事後的な補強工事が可能である。
すなわち、折版屋根１に吊下ボルト４の上端部４ａのみを固定し、この吊下ボルト４の下端部４ｂに保持部材６を介して軒樋２を吊下した既設の軒樋吊構造に対して、軒樋２の取り外し工事を行うことなく、吊下ボルト４に支持具５の取り付けが可能であり、事後的に補強工事を行うことができる。この場合、吊下ボルト４に一対の分割体１６、１６を取り付けた後、緊締部材１４の切欠部２６を利用して、この緊締部材１４を突出壁部１３の下方に到らせ、更にこの緊締部材１４を突出壁部１３に螺合することにより吊下ボルト４に対して支持具５の取り付けを行うことができる。
【００５０】
図７は、本発明による支持具の別の実施形態を示す図である。
この図に示すように、支持具５は、上述した杆状部材１１を緊締する構造が異なっている。
すなわち、この支持具５においては、突出壁部１３の外周面に上下方向の係合溝３１が形成されており、一方の分割体１６の杆状部１１Ａには上下方向の軸体３２を介して係合部材３３が取り付けられている。
係合部材３３は、突出壁部１３の周面を巡るように底面視Ｃ字状に形成されており、その基端部３５が軸体３２に回動自在に取り付けられ、その先端部に前記係合溝３１に係合自在な係合爪３６が形成されている。
係合部材３３は、軸体３２を中心として回動自在であり、分割体１６、１６を分離する場合には、係合溝３１に対する係合爪３６の係合を解き、分割体１６、１６を接合する場合には、係合溝３１に係合爪３６を係合させる。
この支持具５においても、上記実施形態で説明した支持具５と同様の効果が得られ、特に図５（ｂ）で切欠部２６を設けた支持具５と同様に、既設の軒樋吊構造に対して、後付けの補強工事を行うことができるという効果が得られる。
【符号の説明】
【００５１】
１    折版屋根
１ａ  山部
１ｂ  谷部
２    軒樋
３    軒樋吊具
４    吊下ボルト
４ａ  上端部
４ｂ  下端部
５    支持具（補強用支持具）
６    保持部材
７  ナット
１１  杆状部材
１２  貫通孔
１３  突出壁部
１４  緊締部材
１５  雄螺子部
１６  分割体
１７  凹部
１８  凸部
１９  雌螺子部
２１  分断面
２６  切欠部
【図１】
2011001724.tif 000003
【図２】
2011001724.tif 000004
【図３】
2011001724.tif 000005
【図４】
2011001724.tif 000006
【図５】
2011001724.tif 000007
【図６】
2011001724.tif 000008
【図７】
2011001724.tif 000009
【図８】
2011001724.tif 000010